(57)【要約】【課題】回線制御装置若しくは基地局の電源投入時など、複数の移動局無線装置が同時に位置登録処理を行った場合において、基地局や回線制御装置では輻輳が発生するため、大量の位置登録処理における有線回線網区間のトラフィック量を軽減させることが可能な移動体通信システムにおける移動局無線装置の位置登録方法を提供する。【解決手段】基地局伝送装置は、自局の通話エリア内に存在する移動局無線装置の位置登録情報を保存する基地局データベースを備え、所定のタイミングで該保存された位置登録情報を前記回線制御装置に伝送する。【選択図】図２
2010141553.tif 000002
【特許請求の範囲】
【請求項１】
センタ局に配置される回線制御装置及び位置登録情報データベース、並びに、複数の基地局ゾーンとにより構成され、該複数の基地局ゾーンそれぞれが、基地局伝送装置と複数の移動局無線装置により構成される通信システムであって、前記位置登録情報データベースは、どの基地局ゾーン内にどの移動局無線装置が存在するかを示す位置登録情報を保存し、移動局無線装置への呼出時に該当する基地局ゾーンを指定して移動局無線装置間の通信を可能とする通信システムにおいて、
前記基地局伝送装置は、自局の通話エリア内に存在する移動局無線装置の位置登録情報を保存する基地局データベースを備え、所定のタイミングで該保存された位置登録情報を前記回線制御装置に伝送することを特徴とする位置登録方法。
【発明の詳細な説明】
【技術分野】
【０００１】
本発明は、移動体通信システムに係り、特に、移動局無線装置の位置登録に関わる。
【背景技術】
【０００２】
従来から、複数の基地局がそれぞれ複数の移動局（移動体）を有し、１つの基地局内の移動局が他の基地局内の移動局と通信することができる移動体通信システムが存在する。図１によって、従来の移動体通信システムを説明する。図１は、従来の移動体通信システムの一例を説明するためのシステム構成を示すブロック図である。１１０はセンタ局、１３０は有線回線網、１５０と１６０は基地局ゾーンである。また、１１１はセンタ局１１０の回線制御装置、１１２はセンタ局１１０の位置登録情報データベースである。また、基地局ゾーン１５０において、１５１は基地局伝送装置、１５２と１５３はそれぞれ移動体に搭載された移動局無線装置である。同様に、基地局ゾーン１６０において、１６１は基地局伝送装置、１６２と１６３はそれぞれ移動体に搭載された移動局無線装置である。
なお、回線制御装置１１１と基地局伝送装置１５１間、若しくは回線制御装置１１１と基地局伝送装置１６１間は有線回線網１３０で通信する。また、それぞれの基地局ゾーン内では、無線で通信する。例えば、基地局伝送装置１５１と移動局無線装置１５２若しくは１５３間、基地局伝送装置１６１と移動局無線装置１６２若しくは１６３間は無線で通信する。
【０００３】
図１において、移動局無線装置１５２、１５３、１６２、及び１６３の位置登録情報の管理は、センタ局１１０の回線制御装置１１１でのみで行っている。そして、例えば、基地局ゾーン１５０内の移動局無線装置１５２から、他の基地局ゾーン１６０内の移動局無線装置１６３の呼出を行う際には、呼出元の移動局無線装置１５２、自ゾーンの基地局伝送装置１５１、回線制御装置１１１、呼出相手の移動局無線装置１６３が存在する基地局ゾーン１６０の基地局伝送装置１６１、及び、呼出相手の移動局無線装置１６３の順に呼び出される。
【０００４】
移動局無線装置の位置登録は、その移動局無線装置が電源を投入された場合、若しくは他の基地局ゾーンに移動した場合の他、基地局伝送装置若しくは回線制御装置に電源が投入された場合に行われる。例えば、移動局無線装置の位置は、移動局無線装置がＧＰＳ受信装置を備え、ＧＰＳ受信装置によって知った位置情報を送信することで達成される（特許文献１参照。）。
【０００５】
【特許文献１】特開２００４−２８２１９３号公報
【発明の開示】
【発明が解決しようとする課題】
【０００６】
上述したような従来の位置登録において、基地局伝送装置若しくは回線制御装置に電源が投入された場合には、図２で説明する問題が存在する。図２は、従来の位置登録処理動作について説明するためのシーケンス図である。
なお、本書では、既に説明した図１を含め、以降の各図の説明において、共通な機能を有する構成要素には同一の参照番号を付し、説明を省略する。
図２の動作シーケンスは、基地局伝送装置１５１に電源が投入された場合の一例である。１５４は基地局ゾーン１５０内の移動局無線装置であり、この時点で、基地局ゾーン１５０内には、移動局無線装置１５２、１５３、及び１５４が存在する。
図２のシーケンスの始めにおいて、回線制御装置１１１と移動局無線装置１５２、１５３、及び１５４には、電源が供給され動作している。しかし、基地局伝送装置１５１には電源が供給されておらず、従って動作していない。
【０００７】
この状態において、基地局伝送装置１５１に電源が供給された場合、動作を開始したことを示す報知信号（下り報知信号）を、基地局ゾーン１５０内の移動局無線装置１５２、１５３、及び１５４に無線送信する（ステップＳ２０１）。このように、報知信号（下り報知信号）２０２は、基地局伝送装置１５１の状態を通知する信号であり、移動局無線装置は、この報知信号を受信することによって、基地局伝送装置１５１若しくは回線制御装置１１１に電源が供給されたことが分かる。
なお、他の基地局伝送装置に電源が供給されている場合には、回線制御装置１１１は電源が供給されており、回線制御装置１１１は、（１）装置異常のために電源を落としている場合か、（２）システム導入時の電源供給前、等特殊なときに電源が供給されていない状態となる。
また、基地局伝送装置１５１と回線制御装置１１１間は有線回線網１３０で接続され、相互に周期的に状態確認信号を送信しているので、正常稼働か異常等の相手の状態が分かっている。
次に、基地局伝送装置１５１から報知信号を受信した移動局無線装置１５２は、位置登録情報２０４を基地局伝送装置１５１に送信する（ステップＳ２０３）。位置登録情報２０４を受信した基地局伝送装置１５１は、受信した位置登録情報２０４に自基地局ゾーン１５１の情報を追加した位置登録情報２０４’を回線制御装置１１１に送信する（ステップＳ２０５）。回線制御装置１１１は、受信した位置登録情報２０４’を位置登録情報データベース１１２に保存するか、同一の移動局無線装置について、古い位置登録情報があった場合には更新する。そして、回線制御装置１１１は、位置登録したことを示す位置登録応答信号２０７を当該基地局伝送装置１５１に送信する（ステップＳ２０６）。
位置登録応答信号２０７を受信した基地局伝送装置１５１は、その位置登録応答信号２０７を無線信号に変換して移動局無線装置１５２に送信する（ステップＳ２０８）。
移動局１５２は、基地局伝送装置１５１からの位置登録応答信号２０７’を受信して、自移動局１５２に設けられた図示しない表示部に基地局ゾーン１５０内であることを示す“圏内表示”を行う（ステップＳ２０９）。
【０００８】
同様に、移動局無線装置１５３（若しくは１５４）は、基地局伝送装置１５１から報知信号を受信し、位置登録情報２１１（若しくは２１８）を基地局伝送装置１５１に送信する（ステップＳ２１０（若しくはステップＳ２１７））。位置登録情報２１１（若しくは２１８）を受信した基地局伝送装置１５１は、受信した位置登録情報２１１（若しくは２１８）に自基地局ゾーン１５１の情報を追加した位置登録情報２１１’（若しくは２１８’）を回線制御装置１１１に送信する（ステップＳ２１２（若しくはステップＳ２１９））。回線制御装置１１１は、受信した位置登録情報２１１’（若しくは２１８’）を位置登録情報データベース１１２に保存するか、同一の移動局無線装置について、古い位置登録情報があった場合には更新する。そして、回線制御装置１１１は、位置登録したことを示す位置登録応答信号２１４（若しくは２２１）を当該基地局伝送装置１５１に送信する（ステップＳ２１３（若しくはステップＳ２２０））。
位置登録応答信号２１４（若しくは２２１）を受信した基地局伝送装置１５１は、その位置登録応答信号２１４（若しくは２２１）を無線信号に変換して移動局無線装置１５３（若しくは１５４）に送信する（ステップＳ２１５（若しくはステップＳ２２２））。
移動局無線装置１５３（若しくは１５４）は、基地局伝送装置１５１からの位置登録応答信号２１４’（若しくは２２１’）を受信して、自移動局無線装置１５３（若しくは１５４）に設けられた図示しない表示部に基地局ゾーン１５０内であることを示す“圏内表示”を行う（ステップＳ２１６（若しくはステップＳ２２３））。
【０００９】
なお、図２の動作シーケンスは、基地局伝送装置１５１に電源が投入された場合の一例を示したが、他の基地局伝送装置１５３、１６２、１６３等の場合も同様である。またさらに、基地局伝送装置や移動局無線装置が動作し、回線制御装置１１１だけが動作していない場合において、回線制御装置１１１に電源が供給され、動作が開始された場合には、有線接続されたすべての基地局伝送装置から、上述した報知信号が、それぞれの基地局ゾーン内の移動局無線装置に送信され、移動局の位置登録の動作シーケンスが実行される。なお、回線制御装置１１１には、電源が供給されているのが通常であり、前述したように、装置異常のために電源を落としている場合か、（２）システム導入時の電源供給前、等特殊なときに電源が供給されていない状態となる。
しかし、図２で説明したような、回線制御装置若しくは基地局の電源投入時など、複数の移動局無線装置が同時に位置登録処理を行った場合において、基地局や回線制御装置では輻輳が発生する。
本発明の目的は、大量の位置登録処理における有線回線網区間のトラフィック量を軽減させることが可能な移動体通信システムにおける移動局無線装置の位置登録方法を提供することにある。
【課題を解決するための手段】
【００１０】
上記の目的を達成するため、本発明は、センタ局に配置される回線制御装置及び位置登録情報データベース、並びに、複数の基地局ゾーンとにより構成され、該複数の基地局ゾーンそれぞれが、基地局伝送装置と複数の移動局無線装置により構成される通信システムであって、前記位置登録情報データベースは、どの基地局ゾーン内にどの移動局無線装置が存在するかを示す位置登録情報を保存し、移動局無線装置への呼出時に該当する基地局ゾーンを指定して移動局無線装置間の通信を可能とする通信システムにおいて、
前記基地局伝送装置は、自局の通話エリア内に存在する移動局無線装置の位置登録情報を保存する基地局データベースを備え、所定のタイミングで該保存された位置登録情報を前記回線制御装置に伝送することを特徴とする位置登録方法である。
好ましくは、前記回路制御装置と前記基地局伝送装置間の通信は、有線回線網で行われ、前記基地局伝送装置は、前記基地局データベース内に保存された無線装置の位置登録情報を一括して、送信するものである。
【発明の効果】
【００１１】
本発明によれば、基地局伝送装置によって、センタの回線制御機能（位置登録機能）を一時的に代行することによって、非常時など、位置登録動作が頻繁に発生した場合に、基地局伝送装置と回線制御装置間の輻輳を軽減することが可能となる。
また、本発明の別の効果として、回線制御装置と基地局伝送装置で構成されるシステムを、多段接続する場合などにおいても、有線回線網における通信（トラフィック）量を一定に制限することが出来るため、多段接続の設計が容易となる。
【発明を実施するための最良の形態】
【００１２】
図３によって、本発明の移動体通信システムを説明する。図３は、本発明の移動体通信システムの一実施例を説明するためのシステム構成を示すブロック図である。３１１は回線制御装置、３５０と３６０は基地局ゾーンである。また、基地局ゾーン３５０において、３５１は基地局伝送装置、３５８は基地局伝送装置３５１の位置登録処理部、３５９は基地局データベースである。同様に、基地局ゾーン３６０において、３６１は基地局伝送装置、３６８は基地局伝送装置３６１の位置登録処理部、３６９は基地局データベースである。
従来と同様に、回線制御装置３１１と基地局伝送装置３５１間、若しくは回線制御装置３１１と基地局伝送装置３６１間は有線回線網１３０で通信する。また、それぞれの基地局ゾーン（通信エリア内（圏内））内では、無線で通信する。例えば、基地局伝送装置３５１と移動局１５２若しくは１５３間、基地局伝送装置３６１と移動局１６２若しくは１６３間は無線で通信する。
【００１３】
図３において、移動局１５２、１５３、１６２、及び１６３の位置登録情報の管理は、まず、当該移動局無線装置が属する（その通信エリア内の）基地局ゾーン３５０の基地局伝送装置３５１若しくは基地局ゾーン３６０の３６１で行っている。そして、例えば、基地局ゾーン３５０内の移動局無線装置１５２から、他の基地局ゾーン３６０内の移動局無線装置１６３の呼出を行う際には、呼出元の移動局無線装置１５２、自ゾーンの基地局伝送装置３５１、回線制御装置３１１、呼出相手の移動局無線装置１６３が存在する基地局ゾーン３６０の基地局伝送装置１６１、及び、呼出相手の移動局無線装置１６３の順に呼び出される。
【００１４】
移動局無線装置の位置登録は、その移動局無線装置が電源を投入された場合、若しくは他の基地局ゾーンに移動した場合の他、基地局伝送装置若しくは回線制御装置に電源が投入された場合に実行される。例えば、ＧＰＳ受信装置を備えた移動局無線装置１５２が、ＧＰＳ受信装置による位置情報を送信する。
この時、基地局伝送装置３５１は、位置登録処理部３５８に、受信した移動局無線伝送装置の位置情報を出力する。位置登録処理部３５８は、自基地局ゾーン３５０の通信エリア内の移動局無線伝送装置の位置情報を管理するもので、当該移動局無線装置の位置登録情報を基地局データベース３５９に保存して、必要に応じて読出し及び更新を行う。
このように、基地局ゾーン３５０若しくは３６０では、移動局無線装置１５２、１５３、１６２、若しくは１６３からの位置登録情報を、それぞれ、基地局ゾーン単位で行う基地局データベース３５９に保存する。
その後、それぞれの基地局ゾーン３５０若しくは３６０の基地局伝送装置３５１若しくは３６１は、回線制御装置３１１に、輻輳が発生しない任意のタイミングで、基地局単位の位置登録情報を定期的に伝送し、センタ局１１０の位置登録情報データベース１１２に保存する。
従って、センタ局１１０の位置登録情報データベース１１２にそれらの移動体無線装置の位置登録情報が無くても、基地局伝送装置を通して移動局無線装置間で通信が可能である。
【００１５】
図４によって、本発明の位置登録処理ついて、更に説明する。図４は、本発明の位置登録処理動作について説明するためのシーケンス図である。
図４の動作シーケンスは、基地局伝送装置３５１に電源が投入された場合の一例である。１５４は基地局ゾーン１５０内の移動局無線装置であり、この時点で、基地局ゾーン３５０内には、移動局無線装置１５２、１５３、及び１５４が存在する。
図４のシーケンスの始めにおいて、回線制御装置３１１と移動局無線装置１５２、１５３、及び１５４には、電源が供給され動作している。しかし、基地局伝送装置３５１には電源が供給されておらず、従って動作していない。
【００１６】
この状態において、基地局伝送装置３５１に電源が供給された場合、動作を開始したことを示す報知信号（下り報知信号）を、基地局ゾーン３５０内の移動局無線装置１５２、１５３、及び１５４に無線送信する（ステップＳ２０１）。このように、報知信号（下り報知信号）２０２は、基地局伝送装置３５１の状態を通知する信号であり、移動局無線装置は、この報知信号を受信することによって、基地局伝送装置３５１に電源が供給されたことが分かる。
また、基地局伝送装置３５１と回線制御装置３１１間は有線回線網１３０で接続され、相互に周期的に状態確認信号を送信しているので、相手の状態が分かっている。
次に、基地局伝送装置３５１から報知信号を受信した移動局無線装置１５２は、位置登録情報２０４を基地局伝送装置３５１に送信する（ステップＳ２０３）。位置登録情報２０４を受信した基地局伝送装置３５１は、受信した位置登録情報２０４を自基地局伝送装置３５１の位置登録処理部３５８を介して基地局データベース３５９に保存するか、同一の移動局無線装置について、古い位置登録情報があった場合には更新する。そして、基地局伝送装置３５１は、位置登録したことを示す位置登録応答信号４０２を当該移動局無線装置１５２に送信する（ステップＳ４０１）。
移動局１５２は、基地局伝送装置３５１からの位置登録応答信号４０２を受信して、自移動局１５２に設けられた図示しない表示部に基地局ゾーン１５０内であることを示す“圏内表示（自局の通話エリア内であることの表示）”を行う（ステップＳ４０３）。
【００１７】
同様に、移動局無線装置１５３（若しくは１５４）は、基地局伝送装置３５１から報知信号を受信し、位置登録情報２１１（若しくは２１８）を基地局伝送装置３５１に送信する（ステップＳ２１０（若しくはステップＳ２１７））。位置登録情報２１１（若しくは２１８）を受信した基地局伝送装置３５１は、受信した位置登録情報２１１（若しくは２１８）を自基地局伝送装置３５１の位置登録処理部３５８を介して基地局データベース３５９に保存するか、同一の移動局無線装置について、古い位置登録情報があった場合には更新する。そして、基地局伝送装置３５１は、位置登録したことを示す位置登録応答信号４０５（若しくは４０８）を当該移動局無線装置１５３（若しくは１５４）に送信する（ステップＳ４０４（若しくはステップＳ４０７））。
位置登録応答信号４０５（若しくは４０８）を受信した移動局無線装置１５３（若しくは１５４）は、自移動局無線装置１５３（若しくは１５４）に設けられた図示しない表示部に基地局ゾーン１５０内であることを示す“圏内表示”を行う（ステップＳ４０６（若しくはステップＳ４０９））。
【００１８】
位置登録処理部３５８は、自基地局ゾーン３５０に予め割り当てられた時刻になった場合に、基地局データベース３５９内の移動局位置登録情報４１１を基地局ゾーン単位で読み出し、回線制御装置３１１に送信する（ステップＳ４１０）。
移動局位置登録情報４１１を受信した回線制御装置３１１は、受信した移動局位置登録情報４１１に基づいて、位置登録情報データベース１１２の位置登録情報の内容を更新し、位置登録応答信号４１３を当該基地局伝送装置３５１に送信する（ステップＳ４１２）。
上述したように、すべての基地局ゾーンにて、同様の処理がなされることにより、本発明の通信システムによれば、有線回線網１３０での通信量（トラフィック量）を軽減でき、回線制御装置や基地局伝送装置の電源投入時、等による位置登録処理における、有線回線網での輻輳を抑制することができる。
【００１９】
なお、本発明における、基地局ゾーン数や基地局ゾーン内の移動局数は、上記実施例に限る必要はないことは明らかである、
また、基地局ゾーン内の位置登録処理部は、基地局伝送装置と一体化されたものでも、基地局データベースと一体化されたものでも良く、又は、位置登録処理部として独立した形態であっても良い。
また、上記実施例では、センタ局１つに複数の基地局ゾーンが存在する通信システムであった。しかし、複数のセンタ局を有し、該複数のセンタ局を１つのセンタ局が統括する通信システムや、基地局ゾーンの中にさらに子基地局を備えた通信システム、等の多段接続された場合においても、本発明は有効である。
即ち、上記実施例に拠れば、非常時など、位置登録動作が頻繁に発生した場合に、基地局と回線制御装置間の輻輳を軽減することが可能となる。
また、回線制御装置と基地局で構成される通信システムを、多段接続する場合などにおいても、有線回線網における通信量を一定に制限することができるため、多段接続の設計が容易となる。
【図面の簡単な説明】
【００２０】
【図１】従来の移動体通信システムの一例を説明するためのシステム構成を示すブロック図。
【図２】従来の位置登録処理動作を説明するためのシーケンス図。
【図３】本発明の移動体通信システムの一実施例を説明するためのシステム構成を示すブロック図。
【図４】本発明の移動体通信システムの位置登録処理動作の一実施例を説明するためのシーケンス図。
【符号の説明】
【００２１】
１１０：センタ局、  １１１：回線制御装置、  １１２：位置登録情報データベース、  １３０：有線回線網、  １５０：基地局ゾーン、  １５１：基地局伝送装置、  １５２，１５３，１５４：移動局無線装置、  １６０：基地局ゾーン、  １６１：基地局伝送装置、  １６２，１６３：移動局無線装置、  ３１１：回線制御装置、  ３５０：基地局ゾーン、  ３５１：基地局伝送装置、  ３５８：位置登録処理部、  ３５９：基地局データベース、  ３６０：基地局ゾーン、  ３６１：基地局伝送装置、  ３６８：位置登録処理部、  ３６９：基地局データベース。
【図１】
2010141553.tif 000003
【図２】
2010141553.tif 000004
【図３】
2010141553.tif 000005
【図４】
2010141553.tif 000006